(57)【要約】【課題】周波数特性の過度の補正により、チャンネル間の位相のずれ、ＳＮ比の低下、出力信号の歪みが原因となり、ノイズ発生や音質低下や聴感上の違和感が生じる。【解決手段】増幅装置において、スピーカから出力された測定用信号をマイクロフォンで収音し、収音信号に基づいてスピーカから出力された出力信号の周波数特性を予め定められた目標周波数特性に補正する信号処理部とを備え、信号処理部は、前記収音信号から得た測定周波数特性と目標周波数特性を比較し、測定周波数特性と目標周波数特性との差分を低減させる周波数特性補正値を求め、当該周波数特性補正値による周波数特性の補正の度合いを決定する演算補正値を求め、周波数特性補正値と演算補正値とを用いて特性周波数特性の補正を行う。【選択図】      図１
2006005902.tif 000002
【特許請求の範囲】
【請求項１】
オーディオ信号を増幅して出力すると共に当該オーディオ信号の振幅周波数特性を調整することが可能な増幅装置において、当該増幅装置に接続されたスピーカから出力された信号の振幅周波数特性を測定するための測定用信号を発生する測定用信号発生部と、前記測定用信号発生部が発生した測定用信号を出力する出力部と、スピーカから出力された前記測定用信号を収音するマイクロフォンにより収音された収音信号が入力される収音信号入力部と、前記収音信号に基づいてスピーカから出力されるオーディオ信号の振幅周波数特性を予め定められた目標周波数特性に補正する信号処理部とを備え、前記信号処理部は、前記収音信号から得た測定周波数特性と前記目標周波数特性を比較し、前記測定周波数特性と前記目標周波数特性との差分が最も小さい周波数特性補正値を求め、当該周波数特性補正値における周波数特性の補正の度合いを決定する演算補正値を求め、前記周波数特性補正値と前記演算補正値とを用いてオーディオ信号の振幅周波数特性の補正を行うことを特徴とする増幅装置。
【請求項２】
オーディオ信号を増幅して出力すると共に当該オーディオ信号の振幅周波数特性を調整することが可能な増幅装置において、当該増幅装置に接続されたスピーカから出力された信号の振幅周波数特性を測定するための測定用信号を発生する測定用信号発生部と、前記測定用信号発生部が発生した測定用信号を出力する出力部と、スピーカから出力された前記測定用信号を収音するマイクロフォンにより収音された収音信号が入力される収音信号入力部と、前記収音信号に基づいてスピーカから出力されるオーディオ信号の振幅周波数特性を予め定められた目標周波数特性に補正する信号処理部とを備え、前記信号処理部は、前記測定周波数特性と前記目標周波数特性とに基づいて前記測定周波数特性におけるピーク或いはディップを検出し、前記ピーク或いはディップに対応するフィルタ係数からなる周波数特性補正値と前記ピーク或いはディップに対応する前記フィルタ係数に乗算する補正値からなる演算補正値とを求め、前記周波数特性補正値と前記演算補正値とを用いてオーディオ信号の振幅周波数特性の補正を行うことを特徴とする増幅装置。
【請求項３】
請求項２記載の増幅装置において、前記信号処理部は、前記演算補正値を、前記ピーク或いはディップの特性と前記フィルタ係数に基づく特性とのレベル差率および前記フィルタ係数に基づく特性におけるオーディオ信号の歪み率とに基づいて前記前記フィルタ係数に対応する補正値を決定し、前記補正値に基づいて演算補正値を求めることを特徴とする増幅装置。
【請求項４】
オーディオ信号の振幅周波数特性を調整することが可能な振幅周波数特性調整方法において、スピーカから出力された信号の振幅周波数特性を測定するための測定用信号を発生するステップと、スピーカから出力された前記測定用信号を収音するマイクロフォンにより収音された収音信号から測定周波数特性を取得するステップと、前記測定周波数特性と前記目標周波数特性を比較するステップと、前記測定周波数特性と前記目標周波数特性との差分が最も小さい周波数特性補正値を求めるステップと、当該周波数特性補正値における周波数特性の補正の度合いを決定する演算補正値を求めるステップと、前記周波数特性補正値と前記演算補正値とを用いてオーディオ信号の振幅周波数特性の補正を行うステップとを備えることを特徴とする振幅周波数特性調整方法。
【請求項５】
オーディオ信号を増幅して出力すると共に当該オーディオ信号の振幅周波数特性を調整することが可能な増幅装置において、当該増幅装置に接続されたスピーカから出力された信号の振幅周波数特性を測定するための測定用信号を発生する測定用信号発生部と、前記測定用信号発生部が発生した測定用信号を出力する出力部と、スピーカから出力された前記測定用信号を収音するマイクロフォンにより収音された収音信号が入力される収音信号入力部と、前記収音信号に基づいてスピーカから出力されるオーディオ信号の振幅周波数特性を予め定められた目標周波数特性に補正する信号処理部とを備え、前記信号処理部は、複数の測定位置でマイクロフォンが収音したそれぞれの収音信号から得た各測定周波数特性について各測定周波数特性と前記目標周波数特性を比較し、各測定周波数特性について測定周波数特性と前記目標周波数特性との差分が最も小さい周波数特性補正値を求め、求めた各周波数特性補正値について周波数特性補正値における周波数特性の補正の度合いを決定する演算補正値を求め、求めた複数の周波数特性補正値の平均値と複数の演算補正値の平均値を求め、前記周波数特性補正値の平均値と前記演算補正値の平均値を用いてオーディオ信号の振幅周波数特性の補正を行うことを特徴とする増幅装置。
【請求項６】
オーディオ信号の振幅周波数特性を調整することが可能な振幅周波数特性調整方法において、スピーカから出力された信号の振幅周波数特性を測定するための測定用信号を発生するステップと、スピーカから出力された前記測定用信号を収音するマイクロフォンにより複数の測定位置で収音された収音信号から複数の測定周波数特性を取得するステップと、前記複数の測定周波数特性について各測定周波数特性と前記目標周波数特性を比較するステップと、前記複数の測定周波数特性について各測定周波数特性と前記目標周波数特性との差分が最も小さい周波数特性補正値を求めるステップと、求めた複数の周波数特性補正値について各周波数特性補正値における周波数特性の補正の度合いを決定する演算補正値を求めるステップと、求めた複数の周波数特性補正値の平均値と複数の演算補正値の平均値を求めるステップと、前記周波数特性補正値の平均値と前記演算補正値の平均値とを用いてオーディオ信号の振幅周波数特性の補正を行うステップとを備えることを特徴とする振幅周波数特性調整方法。
【請求項７】
オーディオ信号を増幅して出力すると共に当該オーディオ信号の振幅周波数特性を調整することが可能な増幅装置において、当該増幅装置に接続されたスピーカから出力された信号の振幅周波数特性を測定するための測定用信号を発生する測定用信号発生部と、前記測定用信号発生部が発生した測定用信号を出力する出力部と、スピーカから出力された前記測定用信号を収音するマイクロフォンにより収音された収音信号が入力される収音信号入力部と、前記収音信号に基づいてスピーカからマイクロフォンまでのオーディオ信号の到達時間を測定すると共にスピーカから出力されるオーディオ信号の振幅周波数特性を予め定められた目標周波数特性に補正する信号処理部とを備え、前記信号処理部は、複数の測定位置でマイクロフォンが収音したそれぞれの収音信号から得た各測定周波数特性について各測定周波数特性と前記目標周波数特性を比較し、各測定周波数特性について測定周波数特性と前記目標周波数特性との差分が最も小さい周波数特性補正値を求め、求めた各周波数特性補正値について周波数特性補正値における周波数特性の補正の度合いを決定する演算補正値を求め、求めた複数の周波数特性補正値の平均値と複数の演算補正値の平均値を求め、前記周波数特性補正値の平均値と前記演算補正値の平均値を用いてオーディオ信号の振幅周波数特性の補正を行うと共に、各スピーカから複数の測定位置でのマイクロフォンが収音した収音信号から得たスピーカからマイクロフォンまでのオーディオ信号の到達時間に基づいて各スピーカの配置を判別し、スピーカの位置と当該スピーカに出力するチャンネルのオーディオ信号が一致してない場合に前記出力部により当該スピーカに適合したチャンネルのオーディオ信号に切り替えることを特徴とする増幅装置。
【発明の詳細な説明】
【技術分野】
【０００１】
本発明は、オーディオ信号を増幅して出力すると共にスピーカから出力されるオーディオ信号の振幅周波数特性を調整することが可能な増幅装置、および、スピーカから出力されるオーディオ信号の振幅周波数特性を調整することが可能な振幅周波数特性調整方法に関する。
【背景技術】
【０００２】
近年、ホームシアターシステム等のマルチチャンネルオーディオ再生システムが普及してきている。このマルチチャンネルオーディオ再生システムは、記録媒体に記録されているオーディオ信号を再生装置が再生し、再生装置が再生したオーディオ信号を複数チャンネルのオーディオ信号に変換し、増幅し、複数のスピーカに出力する増幅装置を備える。
【０００３】
当該増幅装置において、高品位な音質によりオーディオ信号を再生するためには、各チャンネル間のオーディオ信号の位相、各チャンネルの出力信号のロールオフ（カットオフ）周波数、各チャンネルの出力信号全体の音圧レベル、リスニングポイントとスピーカとの距離、各チャンネルの出力信号の音圧レベルの周波数特性などの音響特性に関する各種のパラメータの値を適切な値に設定する必要がある。従来、それらのパラメータの値を聴取者が手動により設定していたが、近年、自動的にこれらのパラメータの値を設定する自動音場補正機能を備えた装置が出現してきた。以下、オーディオ信号の振幅周波数特性を単に「周波数特性」という。
【０００４】
自動音場補正機能は、測定用信号を各スピーカから出力し、各スピーカから出力された音をリスニングポイントに設置されたマイクロフォンで収音し、収音したオーディオ信号の周波数特性、オーディオ信号全体の音圧レベル、各チャンネルのオーディオ信号の遅延時間等と、予め設定されている周波数特性、音圧レベル、遅延時間等とを比較し、その差分を除去するように各チャンネルのオーディオ信号の周波数特性、オーディオ信号全体の音圧レベル、各チャンネルのオーディオ信号の遅延時間を補正する。これによりリスニングポイントにおいて最適なオーディオ信号を復元することができる。このような自動音場補正機能を備えた装置が特許文献１や特許文献２に開示されている。
【０００５】
特許文献１に開示されているマルチチャンネルオーディオ再生装置や特許文献２に開示されている自動音場補正システムでは、各スピーカから出力された測定用信号を収音し、測定した結果に基づいて収音したオーディオ信号の周波数特性を求め、当該周波数特性が予め設定されている目標周波数特性に一致するように演算によりイコライザの係数を自動的に求め、演算により求めた係数が設定されたイコライザを形成し、当該イコライザを介してオーディオ信号を出力することにより、自動的に音場を補正する。
【０００６】
また、自動音場補正機能によりリスニングポイントにおいて最適なオーディオ信号の復元をする場合に、１箇所のリスニングポイントで収音した各特性に基づいて演算により、当該リスニングポイントの周辺で聴取した場合でも当該リスニングポイントで聴取した場合と同じ再生特性が得られるように、各スピーカから出力するオーディオ信号のディレイやレベルを補正する技術が特許公報３に開示されている。
【０００７】
【特許文献１】特開２０００−３５４３００
【特許文献２】特開２００１−２２４０９２
【特許文献３】特開２０００−５９８９８
【発明の開示】
【発明が解決しようとする課題】
【０００８】
特許文献１に開示されているマルチチャンネルオーディオ再生装置や特許文献２に開示されている自動音場補正システムにおけるオーディオ信号の周波数特性の補正は、測定により求めた周波数特性が予め設定された目標周波数特性に一致するように、演算により求めた係数を用いて補正する。
【０００９】
自動音場補正機能による音響特性の測定において、スピーカから出力された音は、直接、または、部屋の壁に反射してマイクロフォンに入力するため、マイクロフォンで収音されたオーディオ信号の周波数特性には、急激にレベルが変化するピーク（信号レベルが高くなっている凸部）及びディップ（信号レベルが低くなっている凹部）、或いは、非常にレベルが大きなピーク及びディップが多く発生する。これらのピーク或いはディップを自動音場補正の演算により自動的に周波数特性の補正を行うことができるが、測定により求めた周波数特性が予め設定された目標周波数特性に一致するように補正することにより、オーディオ信号のチャンネル間の位相にずれが発生したり、ＳＮ（Signal Noise）比が低下したり、出力信号に歪みが発生することがある。
【００１０】
具体的には、急激にレベルが変化するピーク及びディップを有する周波数特性、すなわち、人間が知覚できない狭い周波数帯域にピークとディップが存在する周波数特性を補正する場合、演算上では、目標周波数特性に一致するように正確にピーク及びディップを補正する。しかし、ピークとディップとの周波数帯域が狭い周波数特性を補正するために用いるイコライザは、ピーク及びディップの部分で鋭いカーブ（急激に信号レベルが低く又は高くなる）を有する周波数特性となり、ピーク及びディップの部分の位相が極端に変化するため、この位相の変化によりチャンネル間の位相関係にずれが生じる。
【００１１】
また、非常にレベルが大きなピーク及びディップを有する周波数特性を補正する場合、演算上では、目標周波数特性に一致するように正確にピーク及びディップを補正する。この補正のための演算においては、ヘッドルームを確保しなければならない。ヘッドルームとは、それぞれの音響機器の動作レベルに対してどれだけ大きなレベルの信号を扱えるかという「余裕の度合い」を示し、音響機器が歪むレベルと実際に音響機器から出力される音のレベルとの差を示す。例えば、デジタルレコーダーでは２０ｄＢ、ミキシングコンソールのヘッドアンプで３０ｄＢ程度のヘッドルームを有する。
【００１２】
周波数特性を補正する演算において、ヘッドルームを確保することにより、オーディオ信号のＳＮ比は低下する。特に、レベルが大きなディップを補正するため、当該ディップの周波数の信号レベルを上げればヘッドルームは大きくなり、オーディオ信号のＳＮ比は低下する。
【００１３】
また、スピーカの中には、可聴帯域内の一部の帯域にディップが存在する周波数特性を有するスピーカがある。このようなディップは、スピーカ自体が有する周波数特性であるため、ディップの部分の信号レベル以上の信号は出力されない。周波数特性の補正により当該ディップの部分の信号レベルを上げるように補正すると、信号レベルを上げた周波数の信号波形がクリップするなどにより、スピーカからの出力信号に歪みが発生する。
【００１４】
このように、測定により得られた周波数特性には、急激にレベルが変化するピーク及びディップ或いは非常にレベルが大きなピーク及びディップが存在したり、一部の帯域にディップが存在することがある。これらのピーク或いはディップを自動音場補正の演算により測定により得られた周波数特性が目標周波数特性に一致するように自動的に周波数特性の補正を行った場合、オーディオ信号のチャンネル間の位相のずれが原因となり音場が正常な位置からずれ聴感上の違和感が生じたり、ＳＮ比の低下が原因となりオーディオ信号のノイズ成分が増大して聞こえたり、出力信号の歪みが原因となりオーディオ信号の音質が劣化することがある。
【００１５】
また、特許文献３に開示されている聴取位置補正装置においては、１箇所のリスニングポイントで収音した各特性に基づいて、当該リスニングポイントの周辺の聴取領域を９個の領域に分割し、それぞれの各領域の中心を聴取位置と仮定し、演算により各聴取位置での最適な再生条件を求め、スピーカから出力するオーディオ信号のディレイやレベル等を補正している。しかし、リスニングポイントの周辺の聴取領域が実際の聴取位置より広すぎる場合、或いは、狭すぎる場合には、実際の聴取位置で最適な再生条件が得られない。
【００１６】
本発明は、オーディオ信号の振幅周波数特性を補正する際に、測定により得られた周波数特性が目標周波数特性に一致するように補正することにより生じる聴感上の違和感やノイズ成分の増大や音質の低下を低減することができる増幅装置および振幅周波数特性調整方法を提供することを目的とする。また、聴取位置を移動した場合であっても、最適な再生条件を得ることができる増幅装置および振幅周波数特性調整方法を提供することを目的とする。
【課題を解決するための手段】
【００１７】
本発明は、オーディオ信号を増幅して出力すると共に当該オーディオ信号の振幅周波数特性を調整することが可能な増幅装置において、当該増幅装置に接続されたスピーカから出力された信号の振幅周波数特性を測定するための測定用信号を発生する測定用信号発生部と、前記測定用信号発生部が発生した測定用信号を出力する出力部と、スピーカから出力された前記測定用信号を収音するマイクロフォンにより収音された収音信号が入力される収音信号入力部と、前記収音信号に基づいてスピーカから出力されるオーディオ信号の振幅周波数特性を予め定められた目標周波数特性に補正する信号処理部とを備え、前記信号処理部は、前記収音信号から得た測定周波数特性と前記目標周波数特性を比較し、前記測定周波数特性と前記目標周波数特性との差分が最も小さい周波数特性補正値を求め、当該周波数特性補正値における周波数特性の補正の度合いを決定する演算補正値を求め、前記周波数特性補正値と前記演算補正値とを用いてオーディオ信号の振幅周波数特性の補正を行うことを特徴とする。
【００１８】
本願の発明は、オーディオ信号を増幅して出力すると共に当該オーディオ信号の振幅周波数特性を調整することが可能な増幅装置において、当該増幅装置に接続されたスピーカから出力された信号の振幅周波数特性を測定するための測定用信号を発生する測定用信号発生部と、前記測定用信号発生部が発生した測定用信号を出力する出力部と、スピーカから出力された前記測定用信号を収音するマイクロフォンにより収音された収音信号が入力される収音信号入力部と、前記収音信号に基づいてスピーカから出力されるオーディオ信号の振幅周波数特性を予め定められた目標周波数特性に補正する信号処理部とを備え、前記信号処理部は、前記測定周波数特性と前記目標周波数特性とに基づいて前記測定周波数特性におけるピーク或いはディップを検出し、前記ピーク或いはディップに対応するフィルタ係数からなる周波数特性補正値と前記ピーク或いはディップに対応する前記フィルタ係数に乗算する補正値からなる演算補正値とを求め、前記周波数特性補正値と前記演算補正値とを用いてオーディオ信号の振幅周波数特性の補正を行うことを特徴とする。
【００１９】
本願の発明は、前述した増幅装置において、前記信号処理部は、前記演算補正値を、前記ピーク或いはディップの特性と前記フィルタ係数に基づく特性とのレベル差率および前記フィルタ係数に基づく特性におけるオーディオ信号の歪み率とに基づいて前記前記フィルタ係数に対応する補正値を決定し、前記補正値に基づいて演算補正値を求めることを特徴とする。
【００２０】
本願の発明は、オーディオ信号の振幅周波数特性を調整することが可能な振幅周波数特性調整方法において、スピーカから出力された信号の振幅周波数特性を測定するための測定用信号を発生するステップと、スピーカから出力された前記測定用信号を収音するマイクロフォンにより収音された収音信号から測定周波数特性を取得するステップと、前記測定周波数特性と前記目標周波数特性を比較するステップと、前記測定周波数特性と前記目標周波数特性との差分が最も小さい周波数特性補正値を求めるステップと、当該周波数特性補正値における周波数特性の補正の度合いを決定する演算補正値を求めるステップと、前記周波数特性補正値と前記演算補正値とを用いてオーディオ信号の振幅周波数特性の補正を行うステップとを備えることを特徴とする。
【００２１】
本願の発明は、オーディオ信号を増幅して出力すると共に当該オーディオ信号の振幅周波数特性を調整することが可能な増幅装置において、当該増幅装置に接続されたスピーカから出力された信号の振幅周波数特性を測定するための測定用信号を発生する測定用信号発生部と、前記測定用信号発生部が発生した測定用信号を出力する出力部と、スピーカから出力された前記測定用信号を収音するマイクロフォンにより収音された収音信号が入力される収音信号入力部と、前記収音信号に基づいてスピーカから出力されるオーディオ信号の振幅周波数特性を予め定められた目標周波数特性に補正する信号処理部とを備え、前記信号処理部は、複数の測定位置でマイクロフォンが収音したそれぞれの収音信号から得た各測定周波数特性について各測定周波数特性と前記目標周波数特性を比較し、各測定周波数特性について測定周波数特性と前記目標周波数特性との差分が最も小さい周波数特性補正値を求め、求めた各周波数特性補正値について周波数特性補正値における周波数特性の補正の度合いを決定する演算補正値を求め、求めた複数の周波数特性補正値の平均値と複数の演算補正値の平均値を求め、前記周波数特性補正値の平均値と前記演算補正値の平均値を用いてオーディオ信号の振幅周波数特性の補正を行うことを特徴とする。
【００２２】
本願の発明は、オーディオ信号の振幅周波数特性を調整することが可能な振幅周波数特性調整方法において、スピーカから出力された信号の振幅周波数特性を測定するための測定用信号を発生するステップと、スピーカから出力された前記測定用信号を収音するマイクロフォンにより複数の測定位置で収音された収音信号から複数の測定周波数特性を取得するステップと、前記複数の測定周波数特性について各測定周波数特性と前記目標周波数特性を比較するステップと、前記複数の測定周波数特性について各測定周波数特性と前記目標周波数特性との差分が最も小さい周波数特性補正値を求めるステップと、求めた複数の周波数特性補正値について各周波数特性補正値における周波数特性の補正の度合いを決定する演算補正値を求めるステップと、求めた複数の周波数特性補正値の平均値と複数の演算補正値の平均値を求めるステップと、前記周波数特性補正値の平均値と前記演算補正値の平均値とを用いてオーディオ信号の振幅周波数特性の補正を行うステップとを備えることを特徴とする。
【００２３】
本願の発明は、オーディオ信号を増幅して出力すると共に当該オーディオ信号の振幅周波数特性を調整することが可能な増幅装置において、当該増幅装置に接続されたスピーカから出力された信号の振幅周波数特性を測定するための測定用信号を発生する測定用信号発生部と、前記測定用信号発生部が発生した測定用信号を出力する出力部と、スピーカから出力された前記測定用信号を収音するマイクロフォンにより収音された収音信号が入力される収音信号入力部と、前記収音信号に基づいてスピーカからマイクロフォンまでのオーディオ信号の到達時間を測定すると共にスピーカから出力されるオーディオ信号の振幅周波数特性を予め定められた目標周波数特性に補正する信号処理部とを備え、前記信号処理部は、複数の測定位置でマイクロフォンが収音したそれぞれの収音信号から得た各測定周波数特性について各測定周波数特性と前記目標周波数特性を比較し、各測定周波数特性について測定周波数特性と前記目標周波数特性との差分が最も小さい周波数特性補正値を求め、求めた各周波数特性補正値について周波数特性補正値における周波数特性の補正の度合いを決定する演算補正値を求め、求めた複数の周波数特性補正値の平均値と複数の演算補正値の平均値を求め、前記周波数特性補正値の平均値と前記演算補正値の平均値を用いてオーディオ信号の振幅周波数特性の補正を行うと共に、各スピーカから複数の測定位置でのマイクロフォンが収音した収音信号から得たスピーカからマイクロフォンまでのオーディオ信号の到達時間に基づいて各スピーカの配置を判別し、スピーカの位置と当該スピーカに出力するチャンネルのオーディオ信号が一致してない場合に前記出力部により当該スピーカに適合したチャンネルのオーディオ信号に切り替えることを特徴とする。
【発明の効果】
【００２４】
本発明によれば、周波数特性を補正することが可能な増幅装置或いは振幅周波数特性調整方法において、オーディオ信号の振幅周波数特性を補正する際に、測定により得られた周波数特性が目標周波数特性に一致するように補正することにより生じる聴感上の違和感やノイズの増大や音質の低下を低減することができる。また、聴取位置を移動した場合であっても、最適な再生条件を得ることができる。
【発明を実施するための最良の形態】
【００２５】
図１は、本発明の増幅装置の第１実施例の構成を示す図である。
図１において、増幅装置は、信号処理部１、出力部２、測定用信号発生部３、収音信号入力部４、操作部５、制御部６を備える。
【００２６】
信号処理部１は、例えば、デジタル・シグナル・プロセッサ（Digital Signal Processor：ＤＳＰ）であり、外部機器から入力されるオーディオ信号に対しデコードや遅延等の信号処理を行う。デコード処理は、例えば、２チャンネルのオーディオ信号を６チャンネルのオーディオ信号に変換する処理、圧縮されたオーディオ信号を伸長する処理などである。遅延処理は、複数のスピーカからオーディオ信号を出力した際に聴取者に臨場感などを与えるため、デコードされた各チャンネルのオーディオ信号に対してそれぞれ遅延時間を加える処理である。
【００２７】
信号処理部１は、後述する制御部６の制御により、収音信号入力部４から入力される収音信号に基づいて、複数のスピーカを配置した空間でオーディオ信号を聴取する環境において聴取者のリスニングポイントで最適な音響効果が得られるように、各チャンネルのオーディオ信号の周波数特性、遅延時間、音圧レベル等の音響特性の各種パラメータの値を自動的に補正する。この設定を行う動作を自動音場補正処理という。
【００２８】
信号処理部１は、自動音場補正処理において、測定により得られた周波数特性を目標周波数特性に補正する際に、これらの周波数特性を比較して差分を求め、測定により得られた周波数特性を目標周波数特性に一致させるための周波数特性補正値を求める。そして、当該周波数特性補正値に基づいて、演算により補正の度合いを決定する後述する演算補正値を求め、周波数特性補正値及び演算補正値を用いて周波数特性の補正を行う。
【００２９】
ここで、信号処理部１は、測定により求められた周波数特性、目標周波数特性、周波数特性補正値、演算補正値を用いて演算により、オーディオ信号の周波数特性の補正を行う。この補正は、信号処理部１内の演算プログラム上においてパラメトリック・イコライザを形成し、このパラメトリック・イコライザを構成する周波数や信号レベルの値等を演算により変更することにより補正を行う。パラメトリツク・イコライザは、グラフィック・イコライザ（可聴帯域を分割し帯域毎にレベルを調整する）の１つの帯域分の周波数特性におけるピーク或いはディップの中から任意のピーク又はディップの周波数を中心周波数に設定し、周波数特性を変更する。
【００３０】
信号処理部１は、メモリ１ａを備え、自動音場補正処理により設定したパラメータの値をメモリ１ａに記憶する。オーディオ信号は、聴取者が操作部５を用いて聴取者が希望する周波数特性になるようにパラメータの値を変更する、或いは、自動音場補正処理によりパラメータの値が変更されるまでメモリ１ａに記憶された値に基づいて信号処理が施され出力される。
【００３１】
出力部２は、デジタルアナログ変換部（図示せず）、増幅部（図示せず）を備え、信号処理部１から入力される複数チャンネルのデジタルオーディオ信号をデジタルアナログ変換し、アナログ信号に変換されたオーディオ信号を増幅し、出力部２に接続されているフロントレフトチャンネルスピーカ（以下、「ＦＬスピーカ」という。）７ａ、フロントライトチャンネルスピーカ（以下、「ＦＲスピーカ」という。）７ｂ、センターチャンネルスピーカ（以下、「Ｃスピーカ」という。）７ｃ、サラウンドレフトチャンネルスピーカ（以下、「ＳＬスピーカ」という。）７ｄ、サラウンドライトチャンネルスピーカ（以下、「ＳＲスピーカ」という。）７ｅ、サブウーハーチャンネルスピーカ（以下、「ＳＷスピーカ」という。）７ｆにそれぞれ出力する。
【００３２】
出力部２は、制御部６の制御により、自動音場補正処理の時、或いは、自動音場補正処理後に聴取者が希望する周波数特性になるように周波数特性の変更を行う際に聴取者が操作部５を用いて指示した時、測定用信号発生部３が発生した測定用信号を各チャンネルのスピーカ７ａ〜７ｆに出力する。
【００３３】
測定用信号発生部３は、制御部６の制御により、自動音場補正処理において周波数特性の自動補正を行う際に、各種パラメータの値を測定するための測定用信号を発生する。測定用信号は、可聴帯域より広い周波数帯域を有する信号であり、例えば、インパルス、タイムストレッチトパルス、ホワイトノイズなどである。
【００３４】
収音信号入力部４は、制御部６の制御により、自動音場補正処理において収音信号入力部４に接続されているマイクロフォン８から入力される収音信号の入力を受け、信号処理部１に出力する。
【００３５】
操作部５は、自動音場測定処理のオン・オフの切り換えのための操作ボタン、音響特性の各種パラメータの設定を入力又は変更するための操作ボタン等を備える。操作部５は、聴取者が操作ボタンを押下すると、押下された操作ボタンに対応する指示信号を制御部６に出力する。
【００３６】
制御部６は、増幅装置全体を総合的に制御する。制御部６は、信号処理部１において、外部機器から入力されるオーディオ信号に対しデコード処理や遅延処理等を施し、出力部２からオーディオ信号を出力させる制御を行う。
【００３７】
制御部６は、操作部５から自動音場補正処理がオンの指示信号が入力された場合、測定用信号発生部３に測定用信号を発生させ、当該測定用信号を信号処理部１を介して出力部２から各スピーカに出力させる制御を行う。スピーカから出力された測定用信号は、マイクロフォン８により収音され、収音信号入力部４に入力される。そして、制御部６は、収音信号入力部４から入力される収音信号に基づいて、信号処理部１に音響特性の各種パラメータの値を演算により求めさせ、求めた値をメモリ１ａに記憶させ、その値を音響特性の各種パラメータの値として設定し、音響特性を補正させる制御を行う。
【００３８】
第１実施例の増幅装置における自動音場補正処理について説明する。
図１に示すように６本のスピーカ７ａ〜７ｆを備えるホームシアターシステムなどのようなマルチチャンネル再生システムでは、部屋の音響特性、使用するスピーカの周波数特性、各チャンネルの位相特性、スピーカからオーディオ信号を出力し聴取者がオーディオ信号を聴取するまでの伝送経路の伝達特性、使用するスピーカの種類や数、スピーカの設置位置、リスニングポイントと各スピーカとの配置などにより、リスニングポイントにおいて各チャンネルのスピーカ７ａ〜７ｆから届くオーディオ信号の位相特性、ロールオフ周波数、オーディオ信号全体の音圧レベル、リスニングポイントから各スピーカまでの距離、オーディオ信号の振幅周波数特性が変わるため、聴取者が同じ音源のオーディオ信号を聴取する場合であっても、前記の位相特性、ロールオフ周波数、音圧レベル、距離、周波数特性の違いにより音色、音場、臨場感などが異なって聞こえる。
【００３９】
外部機器で再生され増幅装置に入力されるオーディオ信号は、当該オーディオ信号を聴取する環境が適切であることを前提としている。例えば、各チャンネルの出力信号の音圧レベルが等しく、各スピーカ７ａ〜７ｆ間の距離、各スピーカの周波数特性が適正であり、スピーカ構成として適切な種類のスピーカが用いられている環境で聴取することを前提としているため、当該増幅装置から出力されるオーディオ信号を最適な音で再現するためには、適切な環境を整備しなければならない。
【００４０】
増幅装置から出力されるオーディオ信号を最適な音で再現するために、自動音場補正処理において、部屋の音響特性、使用するスピーカの特性、伝送経路の伝達特性等の測定、測定結果に基づくオーディオ信号に対する補正を行う。自動音場補正処理は、測定処理と補正処理とからなり、最初に測定処理が実行される。
【００４１】
測定処理は、リスニングポイントにおける現在の音響特性を測定する処理である。オーディオ信号が出力されるスピーカ７ａ〜７ｆは、図１に示すように配置され、測定用のマイクロフォン８は、リスニングポイントに配置される。
【００４２】
測定処理では、制御部６は、測定用信号発生部３に測定用信号を発生させ、信号処理部１を介し測定用信号を出力部２から各スピーカ７ａ〜７ｆに順番に出力させる。各スピーカ７ａ〜７ｆから出力された測定用信号は、マイクロフォン８で収音される。マイクロフォン８から出力された収音信号は、収音信号入力部４に入力され、信号処理部１に入力される。信号処理部１は、測定用信号発生部３が発生した測定用信号と収音信号入力部４に入力した収音信号とに基づいてインパルス応答を演算により求める。増幅装置から出力された信号が各スピーカ７ａ〜７ｆから出力され、その信号がマイクロフォン８で収音されるまでの伝達特性が、ここで得られたインパルス応答である。
【００４３】
このインパルス応答に基づいて、各チャンネルの出力信号の音圧レベルやピークレベル等を演算により求め、ＦＦＴ（Fast Fourier Transform）解析することにより、スピーカ構成（スピーカの有無、スピーカサイズ）、スピーカ間の位相関係、各スピーカ間の距離、リスニングポイントから各スピーカまでの距離、各スピーカからの出力信号の音圧レベルや周波数特性が得られる。
【００４４】
そして、補正処理に移行する。
補正処理は、測定処理で得られた測定結果に基づいて各種パラメータの補正を行う。
【００４５】
信号処理部１は、測定処理で得られた測定結果により、スピーカの有無に基づくスピーカの個数の設定、スピーカ間の距離又はリスニングポイントから各スピーカまでの距離に基づく各チャンネル間の遅延時間の補正、各スピーカの出力信号の音圧レベルに基づく各チャンネル間の出力信号の音圧レベルの差の補正、各スピーカの出力信号の周波数特性に基づく各チャンネルの出力信号の周波数特性の補正などをするための係数を演算により求める。
【００４６】
演算により求めた係数は、メモリ１ａに記憶され、外部機器から入力されるオーディオ信号を出力する際には、メモリ１ａに記憶された係数を用いて当該オーディオ信号に対して周波数特性の補正、位相の補正、音圧レベルの補正、出力時間の遅延等の信号処理が行われ出力される。
【００４７】
増幅装置は、演算により求めた値を信号処理部１の各種パラメータ（スピーカのサイズ、スピーカの個数、スピーカ間の距離、リスニングポイントから各スピーカまでの距離、各チャンネルの遅延時間、各チャンネルの音圧レベル、各チャンネルの周波数特性など）の値として設定し、自動音場補正の結果、どのような設定になっているかを聴取者が確認できるように、増幅装置の表示部（図示せず）或いは増幅装置に接続されているモニタ（図示せず）に表示し、自動音場補正処理は完了する。
【００４８】
次に、自動音場補正処理における周波数特性の補正について説明する。
信号処理部１は、予め複数の目標周波数特性を示す情報（目標周波数特性を示す値）を備えており、これらの目標周波数特性は、自動音場補正処理の測定処理の前までに聴取者が操作部５を用いて選択することが可能である。自動音場補正処理の補正処理では、測定結果から得られた周波数特性を目標周波数特性に一致させるための周波数特性補正値を求め、当該周波数特性補正値に基づいて演算補正値を求め、それらの値を用いて演算により周波数特性の補正を行う。そして、信号処理部１は、補正した周波数特性のオーディオ信号を出力する。
【００４９】
図２は、第１実施例の増幅装置における自動音場補正処理の補正処理を説明する図である。
図３は、第１実施例の増幅装置におけるフィルタ係数Ｑに関する演算を説明するための図である。
図４は、第１実施例の増幅装置における演算補正値Ｒに関する演算を説明する図である。
自動音場補正処理において、制御部５は、測定用信号発生部３に測定用信号を発生させ、各スピーカの周波数特性を測定する。測定した結果、図２（ａ）に示す周波数特性Ａが得られたものとする。
【００５０】
図２（ａ）における周波数特性Ａは、信号処理部１により、測定により得られた周波数特性を、１／３オクターブ或いは１／６オクターブなどのオクターブ帯域毎に平滑化した周波数特性である。これは、測定により得られる周波数特性は、スピーカの周波数特性、部屋の音響特性、スピーカの配置、室内にある物体による反射の影響等により、レベルが大きく且つ複雑なピークやディップを含む周波数特性となる。
【００５１】
このような周波数特性の全てのピーク及びディップを補正するために、それぞれのピーク及びディップにパラメトリック・イコライザを割り当てることは、演算処理が複雑になると共に演算時間がかかるため困難である。このため、測定により得られた周波数特性を平滑化し、平滑化した周波数特性Ａに対し周波数特性の補正を行う。
【００５２】
図２（ｂ）は、目標周波数特性Ｔの一例である。自動音場補正処理における周波数特性の補正は、図２（ａ）に示す周波数特性Ａが図２（ｂ）に示す目標周波数特性Ｔに近づけるように補正を行う。
【００５３】
制御部５は、信号処理部１を制御し、最初に、図２（ａ）に示す周波数特性Ａにおいて、後述する基準周波数ｆ（ｎ）における信号レベルを検出し、また、図２（ｂ）に示す目標周波数特性Ｔにおいて、基準周波数ｆ（ｎ）における信号レベルを検出する。
【００５４】
基準周波数ｆ（ｎ）は、人間の音声の帯域に含まれる聴感上最も信号レベルの変化に敏感な周波数帯域（例えば、１ｋＨｚ〜２ｋＨｚ）の周波数とする。それは、従来の自動音場補正処理による周波数特性の補正では、測定により得た周波数特性を目標周波数特性に正確に一致させるため、位相のずれによる聴感上の違和感、ノイズの増大、音質の低下が生じる。
【００５５】
本実施例の自動音場補正処理では、これらの位相のずれによる聴感上の違和感、ノイズ成分の増大、音質の低下を低減するため、ある周波数帯域では測定により得た周波数特性を目標周波数特性に正確に一致させる補正を行い、他の周波数帯域ではピークやディップの部分における補正の度合いを低くくし、位相のずれによる聴感上の違和感、ノイズ成分の増大、音質の低下を低減するように測定により得た周波数特性を目標周波数特性に近づける補正を行う。
【００５６】
第１実施例の周波数特性の補正では、測定により得た周波数特性と目標周波数特性との差分が大きいピーク或いはディップの部分において、測定により得た周波数特性と目標周波数特性とが正確に一致しなくなる部分が発生する。この測定により得た周波数特性と目標周波数特性とが正確に一致しなくなる部分が聴感上最も信号レベルの変化に敏感な周波数帯域の周波数である場合、当該部分における周波数特性が聴感上あまり補正されていないように聴取者に知覚される。
【００５７】
このため、本実施例における周波数特性の補正では、周波数特性の補正をするための基準周波数を人間の聴感上最も信号レベルの変化に敏感な周波数帯域の周波数にすることにより、当該周波数では測定により得た周波数特性と目標周波数特性が一致するため、聴取者に周波数特性があまり補正されてないように知覚されることがなくなる。
【００５８】
図２（ａ）に示す周波数特性Ａにおける基準周波数ｆ（ｎ）の信号レベルｘ（ｎ）が、図２（ｂ）に示す目標周波数特性Ｔにおける基準周波数ｆ（ｎ）の信号レベルｘ’（ｎ）に一致するように、周波数特性Ａの全体の信号レベルを増加又は減衰させる。本実施例では減衰させる。この結果、図２（ａ）に示す周波数特性Ａは、図２（ｃ）に示す周波数特性Ａ’となる。
【００５９】
次に、図２（ｃ）に示す周波数特性Ａ’において、周波数毎に、目標周波数特性Ｔの信号レベルと周波数特性Ａ’の信号レベルとを比較し、目標周波数特性Ｔの信号レベルより高い信号レベルの部分（ピーク部）、または、目標周波数特性Ｔの信号レベルより低い信号レベルの部分（ディップ部）を検出する。
【００６０】
検出したそれぞれのピーク又はディップについて、目標周波数特性Ｔの信号レベルに対する信号レベル差ｇの絶対値を検出する。図２（ｃ）においては、周波数ｆｃ１の信号レベル差ｇ１の絶対値が最も大きく、次に周波数ｆｃ２の信号レベル差ｇ２の絶対値が大きく、周波数ｆｃ３の信号レベル差ｇ３の絶対値がこれらの中で最も小さく検出されたものとする。
【００６１】
信号レベル差ｇの絶対値が最大である信号レベル差ｇ１のディップ部を検出すると、当該信号レベル差ｇ１の周波数ｆｃ１をパラメトリック・イコライザの中心周波数として設定し、信号レベル差ｇ１をパラメトリック・イコライザにおける周波数特性の補正のレベルとして設定する。
【００６２】
そして、図２（ｄ）に示すように、周波数ｆｃ１において信号レベル差ｇ１の特性Ｐ１のディップ部について、当該特性Ｐ１のディップ部を目標周波数特性Ｔに近づけるためのフィルタ係数Ｑ及び補正値Ｒを求める。フィルタ係数Ｑは、理想的には、当該特性Ｐ１のディップ部と対称な特性を得ることができる値である。また、補正値Ｒは、フィルタ係数Ｑを用いたパラメトリック・イコライザによる当該特性Ｐ１のディップ部における周波数特性の補正の度合いを決定する値である。
【００６３】
フィルタ係数Ｑの求め方は、信号処理部１が予め複数（例えば、１０個など）のフィルタ候補係数ｑ（ｎ）をテーブルとして備え、当該特性Ｐ１のディップ部の信号レベル差ｇ１及び周波数ｆｃ１とそれぞれのフィルタ候補係数ｑ（ｎ）とに基づいてフィルタを構成し、当該フィルタを用いたパラメトリック・イコライザを形成する。このパラメトリック・イコライザの周波数特性と特性Ｐ１とを当該特性Ｐ１のディップ部の周波数帯域内の各周波数毎に信号レベルを比較して差分を算出し、このレベル差が最も小さいフィルタ候補係数ｑ（ｎ）を当該特性Ｐ１のディップ部のフィルタ係数Ｑ１とする。
【００６４】
具体的には、図３（ａ）に示すように、特性Ｐ１のディップ部に対し、演算により、予め備えられた複数のフィルタ候補係数ｑａ〜ｑｊのそれぞれを用いてパラメトリック・イコライザを形成し、各フィルタ候補係数ｑａ〜ｑｊ毎に、パラメトリック・イコライザによる周波数特性と特性Ｐ１とを当該特性Ｐ１のディップ部の周波数帯域内の各周波数毎にレベルを比較し、各周波数のレベル差の総和（差分）を算出する。その結果、各フィルタ候補係数ｑａ〜ｑｊのそれぞれについて、各フィルタ候補係数ｑａ〜ｑｊを用いたパラメトリック・イコライザの周波数特性と特性Ｐ１との信号レベルの差分が求まる。
【００６５】
その各フィルタ候補係数ｑａ〜ｑｊを用いたパラメトリック・イコライザの周波数特性と特性Ｐ１との信号レベルの差分は、図３（ｂ）に示すようになり、パラメトリック・イコライザにより求めた周波数特性と特性Ｐ１との差分が最も小さいフィルタ候補係数ｑｇをフィルタ係数Ｑｇとする。
【００６６】
次に、求めたフィルタ係数Ｑｇについて、当該フィルタ係数Ｑｇを用いたパラメトリック・イコライザによる周波数特性の補正の度合いを決定する補正値Ｒを求める。ディップ部における周波数特性の補正の度合いは、フィルタ係数Ｑｇに基づく特性のピークレベルにより変化する。例えば、前記フィルタ係数Ｑｇに基づく特性のピークレベルが低いほど補正の度合いは低く、前記フィルタ係数Ｑｇに基づく特性のピークレベルが高いほど補正の度合いは高くなる。当該フィルタ係数Ｑｇに補正値Ｒを乗算することにより、補正の度合いが決定する。
【００６７】
補正値Ｒは、特性Ｐ１のディップ部の信号レベル差ｇ１に基づいて求めた複数の補正候補値ｒ（ｎ）の中から１つの補正値Ｒが選択される。この選択方法は後述する。
【００６８】
各補正候補値ｒ（ｎ）は、特性Ｐ１のディップ部の信号レベル差ｇ１を予め定めた数（例えば、１０個など）で等分して求め、等分したそれぞれのレベルがピークレベルとなるフィルタ係数Ｑｇに基づく特性を示すものである。例えば、補正候補値ｒａ〜ｒｊに基づくフィルタ係数Ｑｇの特性は、それぞれ図４（ａ）に示すような特性となり、フィルタ係数Ｑｇに算補正候補値ｒａ〜ｒｊに乗算することにより求める。
【００６９】
補正候補値ｒ（ｎ）の取りうる値は、例えば０．１〜１である。複数の補正候補値ｒ（ｎ）から選択された補正値Ｒが０．１の場合は、フィルタ係数Ｑｇを用いたパラメトリック・イコライザによる周波数特性の補正を１０％行い（補正１０％：図４（ａ）では、補正候補値ｒａ）、複数の補正候補値ｒ（ｎ）から選択された補正値Ｒが１の場合は、フィルタ係数Ｑｇを用いたパラメトリック・イコライザによる周波数特性の補正を１００％行う（補正１００％：図４（ａ）では、補正候補値ｒｊ）。補正値Ｒを０とした場合は、フィルタ係数Ｑｇを用いたパラメトリック・イコライザによる周波数特性の補正を全く行わないため（補正０％）、補正候補値ｒ（ｎ）から０の値は除く。
【００７０】
例えば、ディップ部の中心周波数ｆｃ（ｎ）が５００Ｈｚであり、周波数５００Ｈｚの信号レベル（ピークレベル）が目標周波数特性の信号レベルより１０ｄＢ低い場合、フィルタ係数Ｑｇを用いたパラメトリック・イコライザによる周波数特性において、周波数５００Ｈｚの信号レベルを増幅する補正のイコライザを構成する。この場合、補正候補値ｒ（ｎ）は、＋１ｄＢの補正ならばｒ＝０．１（補正１０％）、＋２ｄＢの補正ならばｒ＝０．２（補正２０％）、・・・＋１０ｄＢの補正ならばｒ＝１（補正１００％）となる。これらの値の中から後述する演算により適切な補正候補値ｒ（ｎ）が特性Ｐ１のディップ部の周波数特性の補正に用いる補正値Ｒとして選択される。
【００７１】
各補正候補値ｒａ〜ｒｊに基づくフィルタ係数Ｑｇの特性（図４（ａ））のパラメトリック・イコライザを形成し、特性Ｐ１と各補正候補値ｒａ〜ｒｊに基づくフィルタ係数Ｑｇの特性とのレベル差率と、各補正候補値ｒａ〜ｒｊに基づくフィルタ係数Ｑｇの特性におけるオーディオ信号の歪み率を求める。
【００７２】
最初に、特性Ｐ１と各補正候補値ｒａ〜ｒｊに基づくフィルタ係数Ｑｇの特性とのレベル差率について説明する。
レベル差率は、特性Ｐ１の各周波数の信号レベルの絶対値の総和Ｘａを算出し、各補正候補値ｒａ〜ｒｊに基づくフィルタ係数Ｑｇの特性の各周波数の信号レベルの絶対値の総和Ｘｂを算出し、総和Ｘｂを総和Ｘａで除算しレベル差率を算出する。
【００７３】
総和Ｘａは、目標周波数特性Ｔの信号レベルを基準値とし、特性Ｐ１のディップ部の周波数帯域内の各周波数において、その基準値に対する特性Ｐ１の信号レベルを求め、求めた信号レベルの絶対値を総和Ｘｂとして算出する。また、総和Ｘｂは、それぞれの補正候補値ｒａ〜ｒｊに基づくフィルタ係数Ｑｇの特性について、フィルタ係数Ｑｇの特性における信号レベルが平坦な部分の信号レベルを基準値とし、特性Ｐ１のディップ部の周波数帯域内に対応する周波数帯域の各周波数において、その基準値に対する各補正候補値ｒａ〜ｒｊに基づくフィルタ係数Ｑｇの特性の信号レベルを求め、求めた信号レベルの絶対値を総和Ｘａとして算出する。
【００７４】
レベル差率は、例えば、図４（ｂ）に示すような特性図となる。補正候補値ｒａの場合、図４（ａ）に示すようにフィルタ係数Ｑｇの特性のピークレベルが低いため、当該補正候補値ｒａに基づくフィルタ係数Ｑｇの特性における総和Ｘｂが小さくなる。この結果、補正候補値ｒａの場合、当該総和Ｘｂと特性Ｐ１の総和Ｘａとのレベル差率は、図４（ｂ）に示すように高くなる。つまり、この補正候補値ｒａに基づくフィルタ係数Ｑｇの特性では、周波数特性の補正の度合いが低いことを示す。
【００７５】
また、補正候補値ｒｊの場合、図４（ａ）に示すようにフィルタ係数Ｑｇの特性のピークレベルが高いため、当該補正候補値ｒｊに基づくフィルタ係数Ｑｇの特性における総和Ｘｂが大きくなる。この結果、補正候補値ｒｊの場合、当該総和Ｘｂと特性Ｐ１の総和Ｘａとのレベル差率は、図４（ｂ）に示すように低くなる。つまり、この補正候補値ｒａに基づくフィルタ係数Ｑｇの特性では、周波数特性の補正の度合いが高いことを示す。
【００７６】
そうすると、図４（ｂ）に示すように、特性Ｐ１と各補正候補値ｒａ〜ｒｊに基づくフィルタ係数Ｑｇの特性におけるレベル差率は、補正候補値ｒａから補正候補値ｒｊに向かうにしたがって、ほぼ直線的に低くなる特性となる。
【００７７】
このように特性Ｐ１と補正候補値ｒａ〜ｒｊに基づくフィルタ係数Ｑｇの特性とのレベル差率は、図４（ｂ）に示すように、補正候補値ｒａ〜ｒｊに基づくフィルタ係数Ｑｇの特性が特性Ｐ１の対称な特性からずれるほど高く、補正候補値ｒａ〜ｒｊに基づくフィルタ係数Ｑｇの特性が特性Ｐ１の対称な特性に近くなるほどレベル差率が低くなる。
【００７８】
次に、補正候補値ｒａ〜ｒｊに基づくフィルタ係数Ｑｇの特性におけるオーディオ信号の歪み率について説明する。
歪み率は、補正候補値ｒａ〜ｒｊのそれぞれについて各補正候補値ｒａ〜ｒｊのピークレベルを有し、特性Ｐ１におけるディップ部の中心周波数（図２（ｄ）に示すｆｃ１）のサイン波をスピーカから出力し、その音をマイクロフォンにより収音し、収音信号の高調波成分の実効値の総和の相乗平均値とを求め、当該相乗平均値と出力信号の基本波の実効値との比率により求める。
【００７９】
特性Ｐ１のディップ部を有する周波数特性において、周波数特性の補正により当該ディップ部のレベル以上にスピーカから出力されるオーディオ信号のレベルを上げるように補正すると、レベルを上げた周波数の信号波形がクリップし、スピーカからの出力信号に歪み（高調波成分）が発生する。このような歪みを、補正候補値ｒａ〜ｒｊのそれぞれについて、スピーカから出力する信号とマイクロフォンで収音した信号を用いて歪み率を求める。
【００８０】
具体的には、補正候補値ｒａのピークレベルを有するサイン波をスピーカから出力し、その音をマイクロフォンにより収音し、収音信号の高調波成分の実効値の総和の相乗平均値を求め、当該相乗平均値と出力信号の基本波の実効値との比率を求める。次に、補正候補値ｒｂのピークレベルを有するサイン波をスピーカから出力し、その音をマイクロフォンにより収音し、収音信号の高調波成分の実効値の総和の相乗平均値を求め、当該相乗平均値と出力信号の基本波の実効値との比率を求める。この動作を繰り返し行い、補正候補値ｒａ〜ｒｊのそれぞれにおける歪み率を求める。
【００８１】
そうすると、オーディオ信号の歪み率は、例えば図４（ｃ）に示すような特性図になる。なお、後述する歪み率閾値を説明する上で１％以下の値も視認できるように図４（ｃ）では縦軸の歪み率を対数として表す。図４（ｃ）において、補正候補値ｒａ〜ｒｄの場合は歪み率が低く、補正候補値ｒｅの場合から歪み率が徐々に高くなり、補正候補値ｒｊの場合が最も歪み率が高くなる。
【００８２】
このようにして求めた補正候補値ｒａ〜ｒｊに基づくフィルタ係数Ｑｇの特性におけるオーディオ信号の歪み率と前述したレベル差率とから、歪み率が予め定めた歪み率（歪み率閾値）より低い歪み率であり、且つ、レベル差率が最も低い補正候補値ｒ（ｎ）を求める。予め定めた歪み率は、例えば、一般的なオーディオ機器の歪み率である０．０１％とする。
【００８３】
例えば、図４（ｃ）に示す特性図の場合、補正候補値ｒｇは、歪み率が歪み率閾値（０．０１％）より低く、且つ、レベル差率が低い値である。つまり、特性Ｐ１のディップ部の周波数特性を補正する度合いが高く、且つ、オーディオ信号の歪み率が低い補正候補値ｒｇであり、当該補正候補値ｒｇを補正値Ｒ１とする。
【００８４】
なお、第１実施例において、特性Ｐ１と補正候補値ｒａ〜ｒｊに基づくフィルタ係数Ｑｇの特性とのレベル差率及び各補正候補値ｒａ〜ｒｊに基づくフィルタ係数Ｑｇの特性におけるオーディオ信号の歪み率は、最初、補正候補値ｒａについてレベル差率及び歪み率を求め、次に、補正候補値ｒｂについてレベル差率及び歪み率を求めるように、補正候補値ｒａ〜ｒｊの値を順次変えてそれぞれについてレベル差率及び歪み率を求めるが、歪み率が歪み率閾値を越えた補正候補値ｒ（ｎ）が求まった時点で演算を中止し、それまでの演算結果により補正値Ｒを決定するようにしてもよい。このことにより補正値Ｒを求めるまでにかかる演算時間を短縮することができる。
【００８５】
これらの演算の結果、信号レベル差ｇ１で中心周波数ｆｃ１の特性Ｐ１のディップ部について、当該ディップ部を補正するためのパラメトリック・イコライザに用いるフィルタ係数Ｑｇ及び補正値Ｒ１が決定する。これらの値に基づいてパラメトリック・イコライザを形成すると、当該ディップ部を補正する特性として図２（ｅ）に示す特性Ｓ１が得られる。当該パラメトリック・イコライザにより信号レベル差ｇ１で中心周波数ｆｃ１の特性Ｐ１のディップ部を補正すると、図２（ｆ）に示すようになる。
【００８６】
特性Ｐ１のディップ部を補正するフィルタ係数Ｑｇ及び補正値Ｒ１が決定した後、次に、図２（ｃ）に示す周波数特性Ａ’において、信号レベル差ｇの絶対値が最大である信号レベル差ｇ２のディップ部について、前述した同様の演算により信号レベル差ｇ２のディップ部を補正する特性Ｓ２となるフィルタ係数Ｑ及び補正値Ｒ２を決定する。この処理の繰り返しにより、周波数特性Ａ’のそれぞれのピーク部及びディップ部に対するフィルタ係数Ｑ及び補正値Ｒを求める。
【００８７】
このようにして周波数特性Ａ’のそれぞれのピーク及びディップについて求めた全てのフィルタ係数Ｑからなる特性を示す値が周波数特性補正値である。また、周波数特性Ａ’のそれぞれのピーク及びディップについて求めた全ての補正値Ｒからなる値が前記周波数特性補正値に乗算する演算補正値である。これらの周波数特性補正値及び演算補正値を用いて図２（ｇ）に示す周波数特性Ｃを有するパラメトリック・イコライザを形成し、当該パラメトリック・イコライザを用いてオーディオ信号の周波数特性の補正を行う。
【００８８】
以上のように、周波数特性の補正において、ピーク又はディップの部分を補正する際に、取得した周波数特性と目標周波数特性との差分が小さくなる周波数特性補正値及び演算補正値を用いて周波数特性の補正を行うことにより、測定により得た周波数特性を目標周波数特性に一致させるように周波数特性を補正することにより発生するオーディオ信号の位相のずれ、ＳＮ比の低下、出力信号の歪みの発生を抑制し、聴感上の違和感やノイズ発生や音質低下を低減することができる。
【００８９】
前述した第１実施例では、自動音場補正処理において周波数特性の補正を行うものとしたが、自動音場補正処理の後に、聴取者が更に手動で周波数特性を調整した場合にも行うようにしてもよい。
【００９０】
また、第１実施例では、補正値Ｒを、特性Ｐ１と補正候補値ｒａ〜ｒｊに基づくフィルタ係数Ｑｇの特性とのレベル差率、および、補正候補値ｒａ〜ｒｊに基づくフィルタ係数Ｑｇの特性におけるオーディオ信号の歪み率に基づいて自動的に決定するとものしたが、聴取者がスピーカから出力されるオーディオ信号を聴取し、操作部５を用いて、聴感上オーディオ信号に歪みが生じないと判断した値を補正値Ｒとして決定するようにしてもよい。
【００９１】
また、第１実施例では、オーディオ信号を増幅して出力すると共にスピーカから出力されるオーディオ信号の周波数特性を調整することが可能な増幅装置について説明したが、外部から入力するオーディオ信号の周波数特性を調整することが可能なイコライザにも適用することもできる。
【００９２】
前述した第１実施例では、自動音場補正処理においてスピーカからの出力信号を測定する測定ポイントを１箇所のリスニングポイントとしていたが、それに限定されず、複数箇所で測定した結果に基づいて自動音場補正処理を行うようにしてもよい。前述した自動音場補正処理においては、測定を行ったポイントが最適なリスニングポイントとなるが、聴取者が測定位置から少しずれた位置で聴取した場合、或いは、複数の聴取者がいる場合は、最適なリスニングポイントから外れて聴取することになる。次に、第２実施例として、前述した第１実施例の自動音場補正処理において、複数箇所で測定を行い、その測定結果に基づいて音場補正を行う処理について説明する。
【００９３】
第２実施例における増幅装置は、図１に示す構成と同じであるため、詳細な説明は省略する。第２実施例は、第１実施例の増幅装置に対し制御部と信号処理部の処理が異なる。
【００９４】
第２実施例においては、まず、聴取者が一人の場合のリスニングポイント（複数のスピーカのほぼ中心となる位置）において、周波数特性の測定を行い、周波数特性補正値及び演算補正値を算出する。当該周波数特性補正値及び演算補正値を用いて図２（ｇ）に示す補正用の周波数特性Ｃを求める。
【００９５】
第１実施例においては、聴取者１人に対して１点のみの測定しか行わないため、補正用の周波数特性Ｃは１つしか得ることができない。この特性は、聴取者が測定用マイクロホンを設置した場所にいると限定された場合の特性であるため、厳密に言えば、その場所から少しでも聴取者が移動した場所では補正が反映されない。また、測定位置で得た補正用の周波数特性Ｃに基づいてパラメトリック・イコライザを形成して周波数特性の補正を行った場合、その測定位置から離れた場所においては周波数特性の補正効果が薄れるだけではなく、逆に補正により聴感的に音質を悪化させる場合もある。
【００９６】
第２実施例においては、測定ポイントをリスニングポイントの他に、リスニングポイントの近傍の数箇所に増やす。本実施例では、リスニングポイントに加えて測定ポイントを４箇所増やし、合計５箇所で測定する。このことにより、リスニングポイント近傍の音響的特性の特徴を把握し、その特性に基づいて自動音場補正を行うことで、リスニングポイント近傍の比較的広い範囲を考慮した音響補正を行うことができる。
【００９７】
１箇所の測定ポイントにより得られる複数のスピーカとマイクロホンとの間の周波数特性は、当該測定ポイントから少し移動した位置でも異なる特性となる。しかし、測定ポイント近傍の複数個所で測定した複数の周波数特性を統計的に解析をすると、周波数特性に類似する部分が存在する。この類似する部分は、測定位置に左右されない特性、つまり、スピーカ自体の周波数特性やリスニングポイントから外れた測定ポイントでの音響特性になる。
【００９８】
第２実施例では、演算時間の削減や増幅装置の小型化も考慮に入れ、一番簡単な統計解析手法として測定と演算により得た５つの補正用の周波数特性を周波数ごとに平均化する。この平均化処理により各測定ポイント固有の周波数特性を目立たなくさせる。また、各測定ポイント共通の周波数特性を平均化することにより抽出し、複数のスピーカ本来の特性や聴取に用いる部屋の全体的空間特性だけを抽出することができる。
【００９９】
図５は、本発明の第２実施例の増幅装置の自動音場補正処理における周波数特性の測定を説明する図である。
図６は、第２実施例の増幅装置の自動音場補正処理における補正用周波数特性を求める処理を説明する図である。
図５（ａ）において、リスニングルームには、モニターが設置され、当該モニターを前方とし、リスニングポイントの左右前方に２個のフロントスピーカが設置され、リスニングポイントの左右後方に２個のリアスピーカが設置されているとする。
【０１００】
周波数特性の測定ポイントは、聴取者が一人の場合の聴取ポイント（リスニングポイント）Ｐ１と、リスニングポイントＰ１の左側のポイントＰ２、リスニングポイントＰ１の右側のポイントＰ３、リスニングポイントＰ１の前方のポイントＰ４、リスニングポイントＰ１の後方のポイントＰ５とする。
【０１０１】
各ポイントでの周波数特性の測定には、図５（ｂ）に示すようなマイクロフォン装置を用いる。当該マイクロフォン装置は、各マイクロフォンでそれぞれのスピーカから出力される信号を収音する。当該マイクロフォン装置を用いることにより、マイクロフォンを測定位置に移動させる必要がなく周波数特性の測定ができるため、測定時間を短縮することができる。
【０１０２】
増幅装置の信号処理部１は、ポイントＰ１から順に測定・演算を行う。まず最初に、ポイントＰ１に設置されたマイクロフォンにより、ポイントＰ１における各スピーカの周波数特性を測定し、その測定結果に基づいて第１実施例で説明した補正処理により補正用周波数特性Ｃｐ１を求める。
【０１０３】
次に、ポイントＰ２に設置されたマイクロフォンにより、ポイントＰ２における各スピーカの周波数特性を測定し、その測定結果に基づいて第１実施例で説明した補正処理により補正用周波数特性Ｃｐ２を求める。同様に、ポイントＰ３、Ｐ４、Ｐ５に設置されたマイクロフォンにより、ポイントにＰ３、Ｐ４、Ｐ５における各スピーカの周波数特性を測定し、その測定結果に基づいて補正用周波数特性Ｃｐ３、Ｃｐ４、Ｃｐ５を求める。求めた補正用周波数特性Ｃｐ１〜Ｃｐ５を図６に示す。
【０１０４】
増幅装置の信号処理部１は、補正用周波数特性Ｃｐ１〜Ｃｐ５を求めた後、次に、図６に示す５箇所の測定ポイントで求めた補正用周波数特性について、各周波数毎に平均値を求める。平均した結果得られた補正用周波数特性Ｃａｖに基づいてパラメトリック・イコライザを形成し、周波数特性の補正を行う。
【０１０５】
このことにより、ポイントＰ１を中心としてポイントＰ２〜Ｐ５で囲まれた範囲において最適な周波数特性に補正することができる。したがって、聴取者が少しリスニングポイントを移動した場合でも、聴取者は、最適な周波数特性によりオーディオ信号を聴取することができる。
【０１０６】
第２実施例では、図５（ｂ）に示す測定装置を用いるものとしたが、１個のマイクロフォンを用い、各ポイントにおいて周波数特性の測定及び補正用周波数特性の演算を行った後に、次の測定ポイントに聴取者がマイクロフォンを移動させるようにしてもよい。
【０１０７】
ホームシアターシステムなどのマルチチャンネルオーディオ再生システムで用いられる増幅装置（ＡＶアンプ）は、複数の機器やスピーカを接続しなければならない。そのため、増幅装置のケーブル接続用の端子は数多く備えられる。聴取者は、それらの端子とスピーカとを対応させてケーブルで配線するが、スピーカの設置場所を間違えたり、端子とスピーカとの接続を間違えることが多く、接続した時点で接続ミスに気づかず、誤って接続されたスピーカによりオーディオ信号を聴取することがある。そうすると、最適なサラウンド効果が得られず、また聴取者はケーブル配線をし直さなければならず手間がかかる。
【０１０８】
第２実施例の増幅装置においては、聴取者が１人の場合のリスニングポイントの周辺５箇所で周波数特性を測定するため、その測定結果を利用して複数のスピーカの接続や設置が適切であるかどうかを自動的に判断することができる。このことにより、スピーカと端子の接続ミスやスピーカの設置誤りをなくし、ユーザが適切な状態でオーディオ信号を聴取する環境を容易に構築することができる。
【０１０９】
図７は、第２実施例において測定ポイントと各スピーカの配置を説明する図である。
第２実施例における各スピーカからの出力信号の周波数特性の測定においては、各測定ポイントにおける各スピーカとの距離を算出する。図７に示すように、スピーカＳＰ１〜ＳＰ８を配置する。
【０１１０】
ポイントＰ１において測定した場合は、ポイントＰ１と各スピーカＳＰ１〜ＳＰ８との距離は、インパルス応答測定により可能である。しかし、ポイントＰ１に対して各スピーカＳＰ１〜ＳＰ８が左右前後どの方向に位置しているかを判別することができない。
【０１１１】
ポイントＰ１に続きポイントＰ２で測定した場合、それぞれのスピーカからの測定用信号の到達時間の差から各スピーカＳＰ１〜ＳＰ８がポイントＰ１（リスニングポイント）に対しＸ軸方向の左右どちらに位置するかを判別できる。
【０１１２】
例えば、ポイントＰ１での測定結果において、ポイントＰ１とスピーカＳＰ１との距離Ｌｓ１ｐ１、ポイントＰ１とスピーカＳＰ３の距離Ｌｓ３ｐ１が、測定ポイントＰ１において同じであったとする（Ｌｓ１ｐ１ = Ｌｓ３ｐ１）。ポイントＰ２の測定結果において、ポイントＰ２とスピーカＳＰ１との距離Ｌｓ１ｐ２、ポイントＰ２とスピーカＳＰ３の距離Ｌｓ３ｐ２は、スピーカＬＰ３よりスピーカＳＰ１のほうが短くなる（Ｌｓ１ｐ２ ＜ Ｌｓ３ｐ２）。つまり、スピーカＳＰ１がポイントＰ１に対して左に位置し、スピーカＳＰ３は、ポイントＰ１に対して右に位置するということが判定できる。
【０１１３】
同様に、ポイントＰ３で測定することにより、ポイントＰ１、Ｐ２で測定結果から得た各スピーカの配置関係はより明確なものとなる。例えば、スピーカＳＰ２がポイントＰ１の真正面に設置してあったとする。先ほどの測定ではスピーカＳＰ２の位置は、スピーカＳＰ１に対してＸ軸方向の右側としか判定されない。しかし、ポイントＰ３での測定結果により、スピーカＳＰ２が少なくともスピーカＳＰ１とＳＰ３との間に位置するということが判定できる。また、ポイントＰ１に対してポイントＰ２とポイントＰ３の距離が等しい場合、各２点の測定ポイントの測定結果から各スピーカの位置が三角法により明確になり、スピーカＳＰ２がポイントＰ１に対してＹ軸方向の正面もしくは背面に存在するということを判定できる。
【０１１４】
更に、ポイントＰ４での測定結果から、各スピーカＳＰ１〜ＳＰ８がポイントＰ１に対しＹ軸方向の前後どちらに位置するかが明確になる。同様に、ポイントＰ５での測定結果から、各スピーカの配置がより明確なものとなる。
【０１１５】
これら測定ポイントＰ１〜Ｐ５で得られた各スピーカからマイクロホンまでの距離に基づいて、スピーカＳＰ１〜ＳＰ８がポイントＰ１に対して前後左右どの方向に位置しているかが把握できる。この測定結果に基づいて、スピーカの接続ミスもしくは適切な場所にスピーカが設置されていなかった場合、聴取者に対してモニターや機器本体に内蔵されている表示装置を用いて警告を表示することができる。このことにより、聴取者が一度オーディオ信号を再生し、配線ミスを気付いた後にケーブルを配線し直すことによる手間又は時間を低減することができる。
【０１１６】
また、測定結果に基づいてケーブル配線が正しくないと判断した場合に、増幅装置内部の出力部で自動的に出力するオーディオ信号のチャンネルを入れ替えることにより、ケーブルの配線ミスがあった場合でも、聴取者が配線し直す必要がなく、映画や音楽を観賞することができる。
【図面の簡単な説明】
【０１１７】
【図１】本発明の増幅装置の一実施例の構成を示す図。
【図２】本実施例の増幅装置における自動音場補正処理の補正処理を説明する図。
【図３】本実施例の増幅装置におけるフィルタ係数Ｑに関する演算を説明するための図。
【図４】本実施例の増幅装置における補正値Ｒに関する演算を説明する図。
【図５】本発明の第２実施例の増幅装置の自動音場補正処理における測定ポイントを説明する図。
【図６】第２実施例の増幅装置の自動音場補正処理における補正用周波数特性を求める処理を説明する図。
【図７】第２実施例において測定ポイントと各スピーカの配置を説明する図。
【符号の説明】
【０１１８】
１・・・信号処理部、１ａ・・・メモリ、２・・・出力部、３・・・測定用信号発生部、４・・・収音入力部、５・・・操作部、６・・・制御部、７・・・スピーカ、７ａ・・・フロントレフトスピーカ（ＦＬ）、７ｂ・・・フロントライトスピーカ（ＦＲ）、７ｃ・・・センタースピーカ（Ｃ）、７ｄ・・・サラウンドレフトスピーカ（ＳＬ）、７ｅ・・・サラウンドライトスピーカ（ＳＲ）、７ｆ・・・サブウーハースピーカ（ＳＷ）、８・・・マイクロフォン。
【図１】
2006005902.tif 000003
【図２】
2006005902.tif 000004
【図３】
2006005902.tif 000005
【図４】
2006005902.tif 000006
【図５】
2006005902.tif 000007
【図６】
2006005902.tif 000008
【図７】
2006005902.tif 000009